(57)【要約】      （修正有）【課題】紙巻きタバコなどの喫煙品用パッケージを提供する。【解決手段】喫煙品をチェンバー１０４から取り出すための開口部１０６を画定する容器１００と、当該チェンバー内から開口部を介して突出し、前部２１０および前部の第１および第２側部からそれぞれ内方フレームの自由端部２８０、２９０へと延びた第１および第２側部２３０、２７０を有し、これら自由端部が容器の第１および第２側部パネル１７０から離れ、容器の後部パネルと当接する内方フレーム２００と、キャビティー３０４を画定する蓋３００と、を含む喫煙品用パッケージ１であって、容器および／または蓋は繊維性材から製せられ、その繊維性材の繊維は容器および／または蓋それぞれの湾曲した縁部の長手方向と実質的に平行であり、内方フレームは、ラミネート加工された紙、ラミネート加工されたカード、板紙、及びボール紙から選ばれる積層材から製せられる。【選択図】図１
0003226018.tif 000002
【実用新案登録請求の範囲】
【請求項１】
容器の前部パネル、後部パネル、第１および第２側部パネルおよびこれら容器の前部パネル、後部パネルおよび第１側部および第２側部パネルを連結する湾曲した縁部を含み、喫煙品用チェンバーと喫煙品をチェンバーから取り出すための開口部を画定する容器と、  チェンバー内から開口部を介して突出した内方フレームであって、前部および前部の第１および第２側部からそれぞれ内方フレームの自由端部へと延びた第１および第２側部を有し、これら自由端部が容器の第１および第２側部パネルから離れ、容器の後部パネルと当接する内方フレームと、  
蓋の前部パネル、後部パネル、第１および第２側部パネルおよびこれら蓋の前部パネル、後部パネルおよび第１側部および第２側部パネルを連結する湾曲した縁部を含み、キャビティーを画定する蓋と、を含み、  
蓋の後部パネルは、容器の後部パネルにヒンジ式に取り付けられ、蓋が容器に対して蓋が前記キャビティー内に突出した内方フレームと共に開口部を塞ぐ閉鎖位置と蓋が開口部を塞がない開放位置との間で移動できるようになっており、  
容器および／または蓋は繊維性材から製せられ、その繊維性材の繊維の大半または全ては、容器および／または蓋それぞれの湾曲した縁部の長手方向と実質的に平行であり、  
内方フレームは、ラミネート加工された紙、ラミネート加工されたカード、板紙、及びボール紙から選ばれる積層材から製せられており、  
内方フレームの第１および第２側部のそれぞれは、第１部分と第２部分を有し、前記第１部分は容器の第１および第２側部パネルのそれぞれと実質的に平行で当接しており、前記第２部分は容器の第１および第２側部パネルそれぞれから間隔を置いて位置し、内方フレームの自由端部を含み、  
内方フレームの第１および第２側部のそれぞれは、第１および第２部分を接続する少なくとも１つの面取りされた縁部を含み、当該少なくとも１つの面取りされた縁部と容器の湾曲した縁部との間にスペースを画定する、喫煙品用パッケージ。  
【請求項２】
第２部分は内方フレームの前部と実質的に平行であることを特徴とする請求項１記載のパッケージ。  
【請求項３】
第２部分は容器の後部パネルと実質的に平行であることを特徴とする請求項１または２記載のパッケージ。  
【請求項４】
第２部分は蓋が閉じた位置にあるとき蓋の後部パネルと当接することを特徴とする請求項１乃至３いずれか１項記載のパッケージ。  
【請求項５】
第１および第２部分のそれぞれは平坦であることを特徴とする請求項１乃至４いずれか１項記載のパッケージ。  
【請求項６】
容器および蓋の前部パネル、後部パネル、第１側部パネルおよび第２側部パネルは平面であることを特徴とする請求項１乃至５いずれか１項記載のパッケージ。  
【請求項７】
蓋の湾曲した縁部間で測定される蓋の前部パネル、後部パネル、第１および第２側部パネルそれぞれの幅は、容器の湾曲した縁部間で測定される容器の前部パネル、後部パネル、第１および第２側部パネルそれぞれの幅に等しく、  
蓋の前部パネルと第１側部パネル間、蓋の後部パネルと第１側部パネル間、蓋の前部パネルと第２側部パネル間および蓋の後部パネルと第２側部パネル間の湾曲した縁部それぞれの半径は、容器の前部パネルと第１側部パネル間、容器の後部パネルと第１側部パネル間、容器の前部パネルと第２側部パネル間および容器の後部パネルと第２側部パネル間の対応する湾曲した縁部の半径に等しいことを特徴とする請求項１乃至６いずれか１項記載のパッケージ。  
【請求項８】
内方フレームの前部は容器の前部パネルと実質的に平行であり、当接することを特徴とする請求項１乃至７いずれか１項記載のパッケージ。  
【請求項９】
内方フレームの前部は容器の前部パネルに固定されていることを特徴とする請求項１乃至８いずれか１項記載のパッケージ。  
【請求項１０】
内方フレームの自由端部は互いに離れていることを特徴とする請求項１乃至９いずれか１項記載のパッケージ。  
【請求項１１】
チェンバー内に一束の喫煙品を含み、内方フレームは喫煙品の束の周囲を少なくとも部分的に延びていることを特徴とする請求項１乃至１０いずれか１項記載のパッケージ。  
【請求項１２】
前記束は喫煙品と喫煙品の周囲を少なくとも部分的に延びているラッパーとを含むことを特徴とする請求項１１記載のパッケージ。  
【請求項１３】
複数のブランクであって、これらブランクはそれぞれ１つ以上の所定の折り曲げ線を有するシート材を含み、これらブランクは、請求項１乃至１０いずれか１項記載のパッケージを形成するためにその折り曲げ線に沿って折り曲げ可能であり、互いに配置可能であるブランク。  
【考案の詳細な説明】
【技術分野】
【０００１】
本考案は紙巻きタバコなどの喫煙品用パッケージおよびそのようなパッケージを形成するために互いに配置可能なブランクに関する。  
【背景技術】
【０００２】
紙巻きタバコなどの喫煙品は、容器と蓋とを含むパッケージに入って提供される。容器は喫煙品を貯蔵するためのチェンバーおよび喫煙品をチェンバーから取り出す際の開口部を画定し、蓋は開口部を選択的に封鎖するためのものである。  
【考案の概要】
【０００３】
本考案の第１の態様は、喫煙品用パッケージを提供し、このパッケージは、  
前部パネル、後部パネル、第１および第２側部パネルおよびこれら前部パネル、後部パネルおよび第１側部および第２側部パネルを連結する湾曲した縁部を含み、喫煙品用チェンバーと喫煙品をチェンバーから取り出すための開口部を画定する容器と、  
チェンバー内から開口部を介して突出した内方フレームであって、前部および前部の第１および第２側部からそれぞれ内方フレームの自由端部へと延びた第１および第２側部を有し、これら自由端部が容器の第１および第２側部パネルから離れ、容器の後部パネルと当接する内方フレームと、  
前部パネル、後部パネル、第１および第２側部パネルおよびこれら前部パネル、後部パネルおよび第１側部および第２側部パネルを連結する湾曲した縁部を含み、キャビティーを画定する蓋と、を含み、  
蓋の後部パネルは、容器の後部パネルにヒンジ式に取り付けられ、蓋が容器に対して蓋が前記キャビティー内に突出した内方フレームと共に開口部を塞ぐ閉鎖位置と蓋が開口部を塞がない開放位置の間で移動できるようになっている。  
【０００４】
例示的な実施態様では内方フレームの第１および第２側部は、それぞれ容器の第１側部パネルと第２側部パネルに当接する。  
【０００５】
例示的な実施態様では内方フレームの第１および第２側部のそれぞれは第１部分と第２部分を有し、第１部分は容器の第１および第２側部パネルのそれぞれと実質的に平行であり、当接し、第２部分は容器の第１および第２側部パネルそれぞれから間隔を置いて位置し、内方フレームの自由端部を含む。  
【０００６】
例示的な実施態様では第２部分は内方フレームの前部と実質的に平行である。  
【０００７】
例示的な実施態様では第２部分は容器の後部パネルと実質的に平行である。  
【０００８】
例示的な実施態様では第２部分は蓋が閉じた位置にあるとき蓋の後部パネルと当接する。
【０００９】
例示的な実施態様では 内方フレームの第１および第２側部のそれぞれは湾曲した縁部または第１および第２部分を接続する少なくとも１つの面取りされた縁部を含む。  
【００１０】
例示的な実施態様では第１および第２部分のそれぞれは平坦である。  
【００１１】
例示的な実施態様では容器および蓋の前部パネル、後部パネル、第１側部パネルおよび第２側部パネルは平面である。
【００１２】
例示的な実施態様では蓋の湾曲した縁部間で測定される蓋の前部パネル、後部パネル、第１および第２側部パネルそれぞれの幅は、容器の湾曲した縁部間で測定される容器の前部パネル、後部パネル、第１および第２側部パネルそれぞれの幅に等しく、蓋の前部パネルと第１側部パネル間、蓋の後部パネルと第１側部パネル間、蓋の前部パネルと第２側部パネル間および蓋の後部パネルと第２側部パネル間の湾曲した縁部それぞれの半径は、容器の前部パネルと第１側部パネル間、容器の後部パネルと第１側部パネル間、容器の前部パネルと第２側部パネル間および容器の後部パネルと第２側部パネル間の対応する湾曲した縁部の半径に等しい。  
【００１３】
例示的な実施態様では 内方フレームの前部は容器の前部パネルと実質的に平行であり、当接する。  
【００１４】
例示的な実施態様では内方フレームの前部は容器の前部パネルに固定されている。  
【００１５】
例示的な実施態様では内方フレームの自由端部は互いに離れている。  
【００１６】
例示的な実施態様では内方フレームは積層材から製せられる。  
【００１７】
例示的な実施態様では 容器および／または蓋は繊維性材から製せられ、その繊維性材の繊維の大半または全ては、容器および／または蓋それぞれの湾曲した縁部の長手方向と実質的に平行である。  
【００１８】
例示的な実施態様では本考案のパッケージは、チェンバー内に一束の喫煙品を含み、内方フレームは喫煙品の束の周囲を少なくとも部分的に延びている。  
【００１９】
例示的な実施態様では 前記束は喫煙品と喫煙品の周囲を少なくとも部分的に延びているラッパーとを含む。  
【００２０】
本考案の第２の態様は複数のブランクを提供し、これらブランクはそれぞれ１つ以上の所定の折り曲げ線を有するシート材を含み、これらブランクは、本考案の第１の態様によるパッケージを形成するためにその折り曲げ線に沿って折り曲げ可能であり、互いに配置可能である.  
【図面の簡単な説明】
【００２１】
添付図面を参照して本考案の実施態様をあくまで例示を目的として説明する。  
【図１】パッケージの略式斜視図である。
【図２】図１のパッケージの容器および内方フレームの略式断面図である。
【図３】別のパッケージの容器と内方フレームの略式断面図である。
【図４】さらに別のパッケージの容器と内方フレームの略式断面図である。
【図５】容器のチェンバー内に一束の喫煙品を有する図１のパッケージの略式斜視図である。
【図６】図１に示すパッケージの容器と蓋を組み合わせたものが形成されるブランクを示す。
【図７】図１に示すパッケージの内方フレームが形成されるブランクを示す。
【考案を実施するための形態】
【００２２】
図１を参照すると本考案の実施態様によるパッケージ１の一例の略式斜視図が示されている。パッケージ１は紙巻きタバコ、シガーまたはシガリロなどの喫煙品用のパッケージである。この例のパッケージ１は、容器１００と、内方フレーム２００と、蓋３００とを含む。図２を参照すると図１のパッケージ１の容器１００と内方フレーム２００が断面略式に示されている  
【００２３】
容器１００は、前部パネル１１０と、後部パネル１５０と、第１側部パネル１３０と、第２端部パネル１７０と、端部パネル(図示せず）とを含む。この例では前部および後部パネル１１０、１５０は、容器１００の対向する主パネルであり、第１および第２側部パネル１３０、１７０は、容器１００の対向する副パネルである。また容器１００は、容器１００の前部パネル１１０、後部パネル１５０、第１および第２側部パネル１３０、１７０を連結する湾曲した縁部１２０、１４０、１６０、１８０を含む。より具体的にはこの例では 容器１００の湾曲した縁部１２０、１４０、１６０、１８０それぞれは容器１００の対応する隣接する前部パネル、後部パネル第１および第２側部パネル１１０、１５０、１３０、１７０を連結する。この例では容器１００は、前部パネル１１０を第１側部パネル１３０に連結する第１湾曲縁部１２０と、第１側部パネル１３０を後部パネル１５０に連結する第２湾曲縁部１４０と、後部パネル１５０を第２側部パネル１７０に連結する第３湾曲縁部１６０と、第２側部パネル１７０を前部パネル１１０に連結する第４湾曲縁部１８０とを含む。  
【００２４】
容器１００は紙巻きタバコ、シガーまたはシガリロなどの喫煙品用のチェンバー１０４を画定するまたは描出する。また容器１００は、開口部１０６を画定し、それを介して使用の際、喫煙品をチェンバー１０４から取り出すことができる。この例では開口部１０６は、容器１００の第１端部１０１にあり、端部パネル（図示せず）は、容器１００の第１端部１０１から反対の容器１００の第２端部１０２にある。従って、この例では容器１００の第１端部１０１は、容器１００の開口端部１０１であり、容器１００の第２端部１０２は、容器１００の閉鎖端部１０２である。  
【００２５】
この例では容器１００は、長尺であり、容器１００の前部パネル、後部パネル、第１および第２側部パネル１１０、１５０、１３０、１７０のそれぞれは、容器１００の長手方向において長尺である。さらにこの例では容器１００の第１〜第４の湾曲した縁部１２０、１４０、１６０、１８０のそれぞれは、容器１００の長手方向において長尺である。即ち第１〜第４の湾曲した縁部１２０、１４０，１６０、１８０のそれぞれは、容器１００の長手方向に平行である長手方向を有する。この例では容器１００の第１〜第４の湾曲した縁部１２０、１４０、１６０、１８０のそれぞれの長手方向は、容器１００の対応する第１〜第４の湾曲した縁部１２０、１４０、１６０、１８０の曲率半径に実質的に垂直である。この例では容器１００の第１〜第４の湾曲した縁部１２０、１４０、１６０、１８０のそれぞれは、対応する湾曲した縁部の全長に沿って実質的に一定の曲率半径を有する。
【００２６】
内方フレーム２００が容器１００のチェンバー１０４内から容器１００の開口部１０６を介して突出している。従って、この例では内方フレーム２００の第１部分２０１は、チェンバー１０４内に位置し、内方フレーム２００の第２部分２０２は、チェンバー１０４の外側に位置する。内方フレーム２００は、前部２１０と、前部２１０の第１側部２１１から延びた第１側部２３０と、前部２１０の第２側部２１２から延びた第２側部２５０とを含む。この例では前部２１０は容器１００の前部パネル１１０に平行であり、当接する。一部の例では内方フレーム２００の前部２１０は、接着剤などによって容器１００の前部パネル１１０に貼り付けられてもよい。この例では前部の上縁部は非直線であり、使用時にパッケージ１０から喫煙品を取りやすくするために内方フレームの前部２１０内に切れ込んでいる。  
【００２７】
この例では内方フレーム２００の第１側部２３０は、容器１００の第１側部パネル１３０と当接し、内方フレーム２００の第２側部２７０は、容器１００の第２側部パネル１７０と当接する。内方フレームの第１および第２側部２３０、２７０は前部２１０の第１および第２側部２１１、２１２から内方フレーム２００の対応する自由端部２８０、２９０へと延びている。内方フレーム２００の自由端部２８０、２９０についてさらに以下に説明する。一部の例では 内方フレームの第１および第２側部２３０、２７０は、それぞれ
接着剤などによって容器１００の第１側部および第２側部パネル１３０、１７０に貼り付けられてもよい。  
【００２８】
蓋３００は前部パネル３１０と、後部パネル３５０と、第１側部パネル３３０と、第２側部パネル３７０と、端部パネル３９０とを含む。この例では蓋３００の前部および後部パネル３１０、３５０は、蓋３００の対向する主パネルであり、蓋３００の第１および第２側部パネル３３０、３７０は蓋３００の副パネルである。また蓋３００は、蓋３００の前部パネル、後部パネル、第１側部パネルおよび第２側部パネル３１０、３５０、３３０、３７０を連結する湾曲した縁部３２０、３４０、３６０、３８０を含む。より具体的にはこの例では蓋３００の湾曲した縁部３２０、３４０、３６０、３８０のそれぞれは、対応する蓋３００の隣接する対の前部パネル、後部パネル、第１側部パネルおよび第２側部パネル３１０、３５０、３３０、３７０を連結する。従って、この例では蓋３００は、前部パネル３１０を第１側部パネル３３０に連結する第１湾曲縁部３２０と、第１側部パネル３３０を後部パネル３５０に連結する第２湾曲縁部３４０と、後部パネルを第２側部パネル３７０に連結する第３湾曲縁部３６０と、第２側部パネル３７０を第１前部パネル３１０に連結する第４湾曲縁部３８０とを含む。  
【００２９】
蓋３００はキャビティー３０４を画定または描出し、キャビティー３０４内への開口部３０６を画定または描出する。この例では開口部３０６は、蓋３００の第１端部３０１にあり、蓋３００の端部パネル３９０は、蓋３００の第１端部３０１とは反対の蓋３００の第２端部３０２にある。従って、この例では蓋３００の第１端部３０１は、蓋３００の開口端であり、蓋３００の第２端部３０２は、蓋３００の閉鎖端部である。  
【００３０】
この例では蓋３００の後部パネルは、容器１００の後部パネル１５０にヒンジ式に取り付けられ、蓋３００は容器１００に対して閉じた位置および開いた位置の間で可動になる。即ち、蓋３００の後部パネルは、ヒンジによって容器１００の後部パネル１５０に接続されている。この例では容器１００と蓋３００は、一体である。この例ではヒンジは一体成形ヒンジである。一部の例ではヒンジは一体成形ヒンジ以外のものであってもよい。図１では蓋３００を開いた位置に示している。  
【００３１】
蓋３００が容器１００に対して閉じた位置にあるとき、蓋が容器１００の開口部１０６を塞ぐ。さらに蓋３００が容器１００に対して閉じた位置にあるとき、内方フレーム２００は蓋３００のキャビティー３０４内に突出する。即ちこの例では、内方フレーム２００の第２部分２０２の少なくとも一部は、蓋３００が閉じた位置にあるとき、開口部３０６を介して蓋３００のキャビティー３０４内に突出する。これは蓋３００が閉じた位置にあるときにパッケージ１に剛性を付与するのに役立つ。蓋３００が容器３００に対して開いた位置にあるとき、蓋３００は容器１００の開口部１０６を塞がない。この例では蓋３００が開いた位置にあるとき、容器１００のチェンバー１０４はパッケージ１の外部から開口部１０６を介して触れることができ、これにより使用時にユーザーが開口部１０６を介してチェンバー１０４から喫煙品を取り出すことができる。それに対して蓋が閉じた位置にあるとき、この例では蓋３００は、パッケージ１の外側から開口部１０６を介して容器１００のチェンバー１０４に触れられないようにする。従って、パッケージ１が運ばれているときなどに使用時に喫煙品がチェンバー１０４から気づかずに落ちてしまうのが妨げられる。  
【００３２】
この例では 内方フレーム２００の自由端部２８０、２９０は、容器１００の第１側部および第２側部パネル１３０、１７０から離れている。これは、蓋３００を開いた位置から閉じた位置へと容器に対して移動させる際に蓋３００の第１および第２側部パネル３３０、３７０が内方フレーム２００の自由端部２８０、２９０に接触するのを避けるのに役立つ。即ち、この例では蓋３００は、蓋３００の第１および第２側部パネル３３０、３７０が内方フレーム２００の自由端部２８０、２９０と接触せずに開いた位置から閉じた位置へと容器１００に対して移動することができる。これは蓋３００が開いた位置から閉じた位置への移動が内方フレーム２００の自由端部２８０、２９０によって妨げられるまたは邪魔されるのを避けるのに役立つ。  
【００３３】
この例では容器１００と蓋３００の前部パネル、後部パネル、第１側部パネルおよび第２側部パネル１１０、１５０、１３０、１７０、３１０、３５０、３３０、３７０は平面である。従って、パッケージ１は、容器１００および蓋３００の湾曲した縁部１２０、１４０、１６０、１８０、３２０、３４０、３６０、３８０は別として実質的に長方形の外観を有する。  
【００３４】
この例では蓋３００の湾曲した縁部３２０、３４０、３６０、３８０間で測定される蓋３００の前部パネル、後部パネル、第１および第２側部パネル３１０、３５０、３３０、３７０のそれぞれの幅は、容器１００の湾曲した縁部１２０、１４０、１６０、１８０間で測定される容器１００の前部パネル、後部パネル、第１および第２側部パネル１１０、１５０、１３０、１７０のそれぞれの幅に等しい。さらにこの例では蓋３００の前部および第１側部パネル３１０、３３０間、蓋３００の後部および第１側部パネル３５０、３３０間、蓋３００の前部および第２側部パネル３１０、３７０間および蓋３００の後部および第２側部パネル３５０、３７０間の蓋３００の湾曲した縁部３２０、３４０、３６０、３８０それぞれの半径は、容器１００の前部および第１側部パネル１１０、１３０間、容器１００の後部および第１側部パネル１５０、１３０間、容器１００の前部および第２側部パネル１１０、１７０間および後部および第２側部パネル１５０、１７０間の容器１００の湾曲した縁部の対応する半径に等しい。従って、この例では蓋３００が閉じた位置にあるとき、容器１００の前部パネル、後部パネル、第１および第２側部パネル１１０、１５０、１３０、１７０および容器１００の第１〜第４湾曲縁部１２０、１４０、１６０、１８０は、それぞれ蓋３００の前部パネル、後部パネル、第１側部パネルおよび第２側部パネル３１０、３５０、３３０、３７０および蓋３００の第１〜第４湾曲縁部３２０、３４０、３６０、３８０と整列する。これは蓋３００が閉じた位置にあるときにパッケージ１に剛性および滑らかな外観を付与するのに役立つ。  
【００３５】
この例では内方フレーム２００の第１側部２３０は、第１部分２３１と第２部分２３２を有する。さらにこの例では内方フレーム２００の第２側部２７０は、第１部分２７１と第２部分２７２を有する。第１および第２側部２３０、２７０それぞれの第２部分２３２、２７２は、内方フレーム２００の自由端部２８０、２９０を含む。第１および第２側部２３０、２７０の第１部分２３１、２７１は、容器１００の第１側部および第２側部パネル１３０、１７０のそれぞれと実質的に平行であり、当接し、第１および第２側部２３０、２７０の第２部分２３２、２７２は、第１および第２側部パネル１３０、１７０それぞれから離れている。  
【００３６】
図１および２に示すパッケージ１などの一部例では内方フレームの第１および第２側部２３０、２７０は、前部２１０の第１および第２側部２１１、２１２それぞれから延びた対応する縁部を含む。他の例ではこれら湾曲した縁部のそれぞれを１つの面取りされた縁部または複数の面取りされた縁部に変えてもよい。一部の例では内方フレームの第１および第２側部２３０、２７０は内方フレーム２００の前部２１０と直角に合わさってもよい。
【００３７】
図１および２に示す例では内方フレームの第１および第２側部２３０、２７０のそれぞれは、第１および第２部分２３１、２７１、２３２、２７２を連結する対応する面取りされた縁部２４０、２６０を含む。図１および２に示す例それぞれの変型例である他の例では内方フレームの第１および第２側部２３０、２７０は、それぞれ図３の例に示すように第１および第２部分２３１、２７１、２３２、２７２を連結する対応する複数の面取りされた縁部２４０、２４１、２６０、２６１を含んでもよい。図３は、図２の内方フレームの第１および第２部分２３１、２７１、２３２、２７２を連結する対応する複数の面取りされた縁部２４０、２４１、２６０、２６１の代わりに内方フレーム２００の第１および第２部分２３１、２７１、２３２、２７２を連結する対応する複数の面取りされた縁部２４０、２４１、２６０、２６１を設けたことを除いて図１および２に示したパッケージ１と同じであるパッケージ２の容器１００と内方フレーム２００の断面を略式に示している。
【００３８】
図１および２に示した例のさらなる変型例である他の例では１つ以上の面取りされた縁部の代わりに内方フレームの第１および第２側部２３０、２７０は、それぞれ図４に示すような第１および第２部分２３１、２７１、２３２、２７２をそれぞれ連結する湾曲した縁部２４５、２６５を含んでもよい。図４は、図２の内方フレーム２００の第１および第２部分２３１、２７１、２３２、２７２をそれぞれ連結する面取りされた縁部２４０、２６０の代わりに内方フレーム２００の第１および第２部分２３１、２７１、２３２、２７２を連結する対応する湾曲した縁部２４５、２６５を設けた以外は図１および２に示したパッケージ１と同じであるパッケージ３の容器１００と内方フレーム２００の略式断面図である。一部の例では内方フレーム２００のこれら湾曲した縁部２４５、２６５のそれぞれは、容器１００の第２および第３の湾曲した縁部１４０、１６０のそれぞれの半径より僅かに小さい半径を有し、内方フレーム２００の湾曲した縁部２４５、２６５が容器１００の第２および第３の湾曲した縁部１４０、１６０に嵌るようにしてもよい。  
【００３９】
一部の例では内方フレーム２００の第１側部２３０の第１および第２部分２３１、２３２は、代わりに直角または鋭角で合わさってもよい。同様に一部の例では内方フレーム２００の第２側部２７０の第１および第２部分２７１、２７２は、代わりに直角または鋭角で合わさってもよい。  
【００４０】
図１〜４に示したパッケージ１、２、３などの一部の例では、第１および第２側部２３０、２７０それぞれの第２部分２３２、２７２は、内方フレーム２００の前部２１０と実質的に平行である。一部のこのような例では内方フレーム２００の前部２１０と第１および第２側部２３０、２７０の対応する第２部分２３２、２７２ 喫煙品の束が容器１００のチェンバー１０４に配置された際に喫煙品の束の両側に配置されてもよい.  
【００４１】
図１〜４に示したパッケージ１、２、３などの一部の例では、第１および第２側部２３０、２７０の第２部分２３２、２７２は、容器１００の後部パネル１５０と実質的に平行であり、当接する。一部の例ではこの構成は容器１００の剛性を増すことに役立つ。図１〜４に示したパッケージ１、２、３などの一部の例では、第１および第２側部２３０、２７０の第２部分２３２、２７２は、蓋が閉じた位置にあるとき蓋３００の後部パネルと当接する。一部の例ではこの構成は蓋３００が閉じた位置にあるときパッケージ１、２、３の剛性を高めるのに役立つ。  
【００４２】
図１〜４に示した例の変更例である他の例では、内方フレームの第１および第２側部２３０、２７０は、容器１００の対応する第１側部および第２側部パネル１３０、１７０と当接せず、これらから離れている。  
【００４３】
上述の例では内方フレームの第１および第２側部２３０、２７０の第１および第２部分２３１、２７１、２３２、２７２のそれぞれは平面である。他の例では必ずしもそうでなくてもよい。例えば、一部の例では第１部分２３１、２７１は、湾曲面などの非平面であってもよい。一部の例では第２部分２３２、２７２は、湾曲面などの非平面であってもよい。  
【００４４】
一部の例では内方フレーム２００の第１および第２側部２３０、２７０の第１部分２３１、２７１は、接着剤などによって容器１００の対応する第１側部および第２側部パネル１３０、１７０に貼り付けられてもよい。  
【００４５】
上述の例では内方フレーム２００の自由端部２８０、２９０は互いに離れている。その結果、内方フレーム２００を形成する際に使用される材料は少なくてすむ。しかしながら、一部の例では内方フレーム２００の自由端部２８０、２９０は互いに接触してもよい。これにより使用時にパッケージ１、２、３の内容物の保護の強化に役立つ。  
【００４６】
図１〜４に示すパッケージ１、２、３では 内方フレーム２００の自由端部２８０、２９０は容器１００の後部パネル１５０と当接する。これは開いた位置から閉じた位置への蓋３００の移動が、内方フレーム２００の自由端部２８０、２９０が例えば蓋３００の第１および第２側部パネル３３０、３７０と自由端部２８０、２９０が接触することによって確実に妨害されないようにすることに役立つ。一部の例では 内方フレーム２００の自由端部２８０、２９０は、接着剤などによって容器１００の後部パネル１５０に貼り付けられてもよい。  
【００４７】
図１〜４に示したパッケージ１、２、３それぞれに対応する変形例などの一部の例ではパッケージ１、２、３は、容器１００のチェンバー１０４に喫煙品の束を含んでもよい。一部の例では内方フレーム２００は、喫煙品の束の周囲を部分的に、少なくとも部分的にまたは完全に延びてもよい。一部の例では束は喫煙品と喫煙品の周囲を部分的、少なくとも部分的または完全に延びたラッパーを含む。ラッパーは金属箔を含む材料などのバリアー材で作製されたものであってもよい。ラッパーは喫煙品を保存するために気密封止されてもよい。ラッパーは喫煙品に触れられるように取り外せてもよく、あるいはラッパーは喫煙品に触れるために開封したあと再度閉じられるものであってもよい。図５はチェンバー１０４に喫煙品の束を有する図１のパッケージ１０を示している。喫煙品の束は、喫煙品と喫煙品の周囲を少なくとも部分的に延びたラッパー４００とを含む。内方フレーム２００の自由端部２８０、２９０は離れているので、パッケージ１０の内方フレーム２００は喫煙品の束の周囲を部分的に延びている。  
【００４８】
図１〜４に示したパッケージ１、２、３それぞれのような一部の例では内方フレーム２００は、ラミネート加工された紙、ラミネート加工されたカード、板紙、ボール紙などのラミネート加工された材料で作製されたものであってもよい。一部のこのような例では内方フレーム２００の自由端部２８０、２９０は、こすられたりまたは叩かれたり、そして特に端が叩かれると剥離しやすい場合がある。このような剥離によって蓋３００と容器１００のその後の相対移動が妨げられ、内方フレーム２００またはパッケージ１、２、３を弱体化させ、パッケージ１、２、３の視覚的注目度が損なわれる場合がある。内方フレーム２００の自由端部２８０、２９０を容器１００の第１および第２側部パネル１３０、１７０から間隔を空けることで 蓋３００の第１および第２側部パネル３３０、３７０が、開いた位置から閉じた位置へ蓋３００が移動している間、内方フレーム２００の自由端部２８０、２９０と接触したり、こすったり、叩いたりしにくくなる。従って、これはパッケージ１、２、３の使用中の内方フレーム２００が剥離するリスクを軽減することに役立つ。
【００４９】
一部の例では容器１００および／または蓋３００は繊維材から作製されてもよく、この場合繊維材の繊維の大半または全ては容器１００および／または３００の湾曲した縁部の長手方向に実質的に平行に配向されている。例えば、図１〜５に示したパッケージ１、２、３それぞれにおいて、容器１００と蓋３００はそのような繊維材から作製されている。繊維材は、例えば紙、カード、板紙、ボール紙などであってもよい。この繊維の配向によって製造時に容器１００および／または蓋３００の湾曲した縁部に確実に滑らかな湾曲を付与するのに役立つ。しかしながら、そのような繊維の配向は、それにより得られる容器１００および／または蓋３００がそれとは別の材料で作製されたまたは湾曲縁部以外の縁部を有する容器１００および／または蓋３００より構造的な剛性が弱くなる場合がある。従って、容器１００および／または蓋３００は、特にパッケージ１、２、３が蓋３００を容器１００に対して閉じた位置に移動させる操作がされている時により撓みやすくなる。従って、このような例では内方フレーム２００の自由端部２８０、２９０が容器１００の第１および第２側部パネル１３０、１７０から離れているという特徴を設けることは、蓋３００が内方フレーム２００の剥離のリスクとなり得る開いた位置から閉じた位置への移動させる際に蓋３００の第１おおび第２側部パネル３３０、３７０が内方フレーム２００の自由端部と接触しないようにするのに役立つ。  
【００５０】
図１のパッケージ１の容器１００と蓋３００を組合せたものは図６に示すブランク１０から形成してもよい。ブランク１０は、複数の折り曲げ線を有する紙、カード、板紙、ボール紙などのシート材を含む。ブランク１０は大きなシート材から切り取られたものであってもよい。ブランク１０は容器１００と蓋３００の組合せを形成するために折り曲げ線１１に沿って折り曲げ可能である。容器１００の湾曲した縁部１２０、１４０、１６０、１８０および蓋３００の湾曲した縁部３２０、３４０、３６０、３８０は、複数の密に間隔をおいて配されている折り曲げ線または脆弱化された線でブランク１０を曲げたり折ったりして形成してもよい。この例ではブランク１０は、複数のタブ１２を含み、これらはシート材を所望の最終構造に保持するためにブランク１０の他の部分に接着剤などによって固定可能である。図１および２のパッケージ１の内方フレーム２００は図７に示すブランク２０から形成してもよい。ブランク２０は、紙、カード、板紙、ボール紙などのシート材を含んでもよく、それは複数の折り曲げ線２１を有する。ブランク２０は大きなシート材から切り取られたものであってもよい。ブランク２０は内方フレーム２００を形成するために折り曲げ線２１に沿って折り曲げ可能である。ブランク１０、２０は折り曲げ線１１、２１に沿って折り曲げ可能であり、図１および２に示したパッケージ１を形成するために互いに対して配置可能である。  
【００５１】
図３および４のパッケージ２、３の容器１００は、図６に示すブランク１０から形成してもよい。図３および４のパッケージ２、３の内方フレーム２００は図７に示すブランクの好適な変形例から形成してもよい。これらのブランクは、図３および４に示すようにパッケージ２、３の内の１つを形成するために折り曲げ線１１、２１に沿って折り曲げ、互いに対して配置させてもよい。  
【００５２】
種々の問題の対処と技術の発展のため、本開示全体は種々の実施形態を例示的に示しており、これらの実施形態では実用新案登録請求された考案が実践され、優れた喫煙品用パッケージおよびそのようなパッケージを形成するためのブランクを提供することができる。本開示の利点および特徴は実施形態の単なる代表的な具体例であり、包括的でも排他的でもない。これらは実用新案登録請求された特徴の理解と教示の単なる補助に提供されている。当然だが、本開示の利点、実施形態、具体例、機能、特徴、構造、および／または他の側面は本開示を実用新案登録請求の範囲に規定されたとおりに限定するあるいは実用新案登録請求の範囲の均等物に限定すると考えるべきではなく、本開示の範囲および／または思想から乖離することなく他の実施形態を利用しても改変してもよいと考えるべきである。種々の実施形態は、開示された構成要素、成分、特徴、部品、工程、手段他の組合せを適切に備えても、これらで構成されても、基本的にこれらで構成されてもよい。また本開示は、現在は実用新案登録請求されていないが将来実用新案登録請求される可能性がある他の考案を含む。  
【図１】
0003226018.tif 000003
【図２】
0003226018.tif 000004
【図３】
0003226018.tif 000005
【図４】
0003226018.tif 000006
【図５】
0003226018.tif 000007
【図６】
0003226018.tif 000008
【図７】
0003226018.tif 000009